(57)【要約】【課題】  取り出しが容易な缶入りコンドームを提供する。【解決手段】  缶体１１の天面２２にプルトップ３５を設け、取出口５１を形成可能とする。缶体１１にコンドーム４１を収容し、コンドーム４１を、コンドーム本体７１と、コンドーム本体７１を収容した袋体７２で構成する。袋体７２を、コンドーム本体７１よりやや大きな円形状に形成し、袋体７２の外形寸法８１を、取出口５１の内径寸法６１より小さな寸法に設定する。最上段のコンドーム４１上に取扱説明書４２を重ねて配置する。【選択図】        図２
0003111816.tif 000002
【実用新案登録請求の範囲】
【請求項１】
円筒形状の缶体の一端に取出口を開口して内部に収容されたコンドームを取り出す缶入りコンドームにおいて、
コンドーム本体を収容する袋体を円形状に形成するとともに、該袋体の外形寸法を前記取出口の内径寸法以下に設定したことを特徴とする缶入りコンドーム。
【請求項２】
前記缶体に前記取出口を開口した状態で前記缶体の前記一端に着脱自在に嵌着され、前記取出口を開閉自在に閉鎖する蓋体を備えたことを特徴とする請求項１記載の缶入りコンドーム。
【請求項３】
前記缶体に収容される説明書を前記コンドームより前記取出口側に配置したことを特徴とする請求項１又は２記載の缶入りコンドーム。
【考案の詳細な説明】
【技術分野】
【０００１】
本考案は、缶にコンドームが収容された缶入りコンドームに関する。
【背景技術】
【０００２】
従来、コンドームが缶体に収容された缶入りコンドームが知られている（例えば、特許文献１参照。）。
【０００３】
前記缶体は、円筒状に形成されており、自動販売機で販売できるように構成されている。
【０００４】
この缶体内には、複数のコンドームが収容されており、それぞれのコンドーム本体は、正方形状の袋体に収容されている。各袋体は、折曲可能に連結されており、各袋体が葛折りされて積層された状態で前記缶体内に収容されている。
【特許文献１】実開平７−０３７１２１号公報
【考案の開示】
【考案が解決しようとする課題】
【０００５】
しかしながら、このような従来の缶入りコンドームにあっては、缶体の一端に取出口を開口してコンドームを取り出す際に、コンドームの袋体の角部が前記取出口の開口縁に引っ掛かり、取り出しにくいという問題があった。
【０００６】
本考案は、このような従来の課題に鑑みてなされたものであり、取り出しが容易な缶入りコンドームを提供することを目的とするものである。
【課題を解決するための手段】
【０００７】
前記課題を解決するために本考案の請求項１の缶入りコンドームにあっては、円筒形状の缶体の一端に取出口を開口して内部に収容されたコンドームを取り出す缶入りコンドームにおいて、コンドーム本体を収容する袋体を円形状に形成するとともに、該袋体の外形寸法を前記取出口の内径寸法以下に設定した。
【０００８】
すなわち、コンドームを取り出す際には、缶体の一端に取出口を開口し、該取出口を下向きにする等して内部に収容されたコンドームを前記取出口より取り出す。このとき、コンドーム本体を収容する袋体は、円形状に形成されており、この袋体の外形寸法は、前記取出口の内径寸法以下に設定されている。
【０００９】
このため、前記袋体の縁部が前記取出口の開口縁に引っ掛かること無く、当該取出口を介して取り出される。
【００１０】
このとき、前記袋体に収容されたコンドーム本体も円形を成す。このため、袋体へのコンドーム本体の収容効率が向上する。
【００１１】
また、請求項２の缶入りコンドームにおいては、前記缶体に前記取出口を開口した状態で前記缶体の前記一端に着脱自在に嵌着され、前記取出口を開閉自在に閉鎖する蓋体を備えている。
【００１２】
これにより、蓋体を用いて缶体に開口した取出口を、開閉自在に閉鎖することができる。このため、コンドームの缶体からの不用意な飛び出しが防止される。
【００１３】
さらに、請求項３の缶入りコンドームでは、前記缶体に収容される説明書を前記コンドームより前記取出口側に配置した。
【００１４】
すなわち、取出口を開口した缶体からコンドームを取り出す際には、内部に収容された説明書が最初に取り出される。
【考案の効果】
【００１５】
以上説明したように本考案の請求項１の缶入りコンドームにあっては、取出口を開口した缶体からコンドームを取り出す際に、コンドームの袋体の縁部が前記取出口の開口縁に引っ掛かること無く、当該コンドームを前記取出口から取り出すことができる。
【００１６】
したがって、袋体が正方形状に形成されたコンドームを取出口を介して取り出す構造上、袋体の角部が取出口に開口縁に引っ掛かってしまう従来と比較して、取り出し性を向上することができる。
【００１７】
このとき、前記袋体に収容されたコンドーム本体も円形を成し、前記袋体へのコンドーム本体の収容効率を向上することができる。このため、円形のコンドーム本体を正方形状の袋体に収容した従来と比較して、袋体として不要な部分を削減することができる。これにより、部材コストを抑えることができる。
【００１８】
また、請求項２の缶入りコンドームにおいては、蓋体を用いて缶体に開口した取出口を開閉自在に閉鎖することができる。このため、取出口から飛び出し易い内部のコンドームの缶体からの不用意な飛び出しを防止することができる。
【００１９】
これにより、携帯性を高めることができ、利便性が向上する。
【００２０】
さらに、請求項３の缶入りコンドームでは、取出口を開口した缶体からコンドームを取り出す際に、まず最初に説明書が取り出される。
【００２１】
これにより、コンドーム使用前に説明書に目を通すように促すことができる。
【考案を実施するための最良の形態】
【００２２】
以下、本考案の一実施の形態を図面に従って説明する。図１は、本実施の形態にかかる缶入りコンドーム１を示す図であり、該缶入りコンドーム１は、缶ジュース等の既存の自動販売機に収容して販売できるうように構成されている。
【００２３】
この缶入りコンドーム１は、円筒形状の缶体１１と、該缶体１１の一端１２に着脱自在に嵌着される蓋体１３とによって構成されている。
【００２４】
前記缶体１１は、円筒体からなるの胴部２１と、該胴部２１の一端１２を閉鎖する円板状の天面２２と、前記胴部２１の他端２３を閉鎖する円板状の底面２４とによって構成されている。前記天面２２は、その周縁が前記胴部２１にカシメられており、このカシメ部２５によって前記胴部２１に接合されている。
【００２５】
前記天面２２には、周縁部に沿った切り離し溝３１が全周に渡って形成されており、該切り離し溝３１の近傍には、プルタブ３２の固定部３３が固定されている。これにより、当該プルタブ３２の操作穴３４に指を掛けて当該プルタブ３２を起立させることによって、当該天面２２を前記切り離し溝３１に沿って切り離せるように構成されており、該切り離し溝３１の内側は、円形のプルトップ３５を構成している。
【００２６】
この缶体１１には、複数のコンドーム４１，・・・が重ねた状態で収容されており、その最上段、すなわち積層された前記コンドーム４１，・・・より前記プルトップ３５側には、取扱説明書４２が最上段のコンドーム４１上に載置された状態で収容されている。
【００２７】
図２の（ａ）は、前記プルトップ３５を外した状態の前記缶体１１の前記天面２２を示す平面図であり、前記切り離し溝３１の内側には、円形の取出口５１が開口している。これにより、当該缶体１１内に収容された前記取扱説明書４２及び前記コンドーム４１を上から順番に、この取出口５１から一つずつ取り出せるように構成されている。
【００２８】
前記取扱説明書４２は、説明文が印刷された紙体からなり、正方形状に折り畳まれている。この取扱説明書４２は、前記取出口５１の内径寸法６１より小さくなるように折り畳まれており、前記取出口５１から容易に取り出せるように構成されている。
【００２９】
また、前記コンドーム４１は、図２の（ｂ）に示すように、ゴム状のコンドーム本体７１と、該コンドーム本体７１を収容した袋体７２とによって構成されている。前記コンドーム本体７１は、円形状に形成されており、前記袋体７２は、このコンドーム本体７１よりやや大きな円形状に形成されている。この袋体７２を構成する表面部材と裏面部材とは、その周縁部が圧着されて接合されており、当該袋体７２の周縁部には、圧着された耳部７３が形成されている。
【００３０】
この袋体７２の外形寸法８１は、前記取出口５１の内径寸法６１より小さな寸法に設定されており、この外形寸法８１は、前記取出口５１の内径寸法６１以下とすれば良い。
【００３１】
そして、前記蓋体１３は、図１に示したように、前記缶体１１に取り付けた状態で前記天面２２を覆う円形の被覆部９１と、該被覆部９１の周縁より前記缶体１１側に延出したフランジ部９２とによって構成されており、該フランジ部９２が前記缶体１１の前記カシメ部２５に外嵌した状態で、当該蓋体１３が前記缶体１１に着脱自在に取り付けられるように構成されている。この蓋体１３を前記缶体１１に取り付けた状態では、前記被覆部９１が前記取出口５１を閉鎖するように構成されており、当該蓋体１３によって前記天面２２に開口された前記取出口５１を開閉自在に閉鎖できるように構成されている。
【００３２】
以上の構成にかかる本実施の形態において、この缶入りコンドーム１からコンドーム４１を取り出す際には、プルタブ３２を操作して缶体１１の天面２２に取出口５１を開口し、該取出口５１を下向きにする等して内部に収容されたコンドーム４１を前記取出口５１から取り出す。
【００３３】
このとき、前記缶体１１内には、前記コンドーム４１，・・・より取出口５１側に取扱説明書４２が配置されている。このため、前記缶体１１からコンドーム４１を取り出す際には、まず最初に前記取扱説明書４２が取り出される。
【００３４】
これにより、前記コンドーム４１使用前に前記取扱説明書４２に目を通すように促すことができる。
【００３５】
そして、前記取出口５１より前記コンドーム４１を取り出す。このとき、該コンドーム４１の袋体７２は、円形状に形成されており、この袋体７２の外形寸法８１は、前記取出口５１の内径寸法６１未満（以下でも良い）に設定されている。このため、前記袋体７２の縁部が前記取出口５１の開口縁に引っ掛かること無く、当該コンドーム４１を前記取出口５１から取り出すことができる。
【００３６】
したがって、袋体が正方形状に形成されたコンドームを取出口を介して取り出す構造上、袋体の角部が取出口に開口縁に引っ掛かってしまう従来と比較して、取り出し性を向上することができる。
【００３７】
このとき、前記袋体７２に収容されたコンドーム本体７１も円形を成し、前記袋体７２への前記コンドーム本体７１の収容効率を向上することができる。このため、円形のコンドーム本体を正方形状の袋体に収容した従来と比較して、袋体として不要な部分を削減することができる。これにより、部材コストを抑えることができる。
【００３８】
また、この缶入りコンドーム１には、蓋体１３が付属されており、この蓋体１３を用いて前記缶体１１に開口した前記取出口５１を開閉自在に閉鎖することができる。このため、前記取出口５１から飛び出し易い前述したコンドーム４１の缶体１１からの不用意な飛び出しを防止することができる。
【００３９】
これにより、鞄の中でコンドーム４１，・・・が散乱するといった事態を未然に防止することができ、携帯性を高めることができる。よって、利便性が向上する。
【図面の簡単な説明】
【００４０】
【図１】本考案の一実施の形態を示す斜視図である。
【図２】（ａ）は同実施の形態の缶体のプルタブを外した状態を示す平面図であり、（ｂ）は同実施の形態のコンドームを示す斜視図である。
【符号の説明】
【００４１】
１    缶入りコンドーム
１１    缶体
１２    一端
１３    蓋体
４１    コンドーム
４２    取扱説明書
５１    取出口
６１    内径寸法
７１    コンドーム本体
７２    袋体
８１    外形寸法
【図１】
0003111816.tif 000003
【図２】
0003111816.tif 000004